(57)【要約】【課題】尿失禁や生理経血などの体液が染み出て外着が汚れてしまい、また、周囲に知られるのを防止すること。【解決手段】  防水布（２）は、片面、または、両面に防水加工が施されている防水布（２）を外着（３）と下着（１）との間に挟み込み、防水布（２）を外着（３）に脱着させるための接合部（５）を有することを特徴とする。  また、防水布（２）は、脱着用接合部（５）が複数あり、外着（３）、および、防水布（２）との対応が形状、または、色彩として明確な接合部（４）を有することを特徴とする脱着可能防水布。【選択図】図１
2017166112.tif 000002
【特許請求の範囲】
【請求項１】
片面、または、両面に防水加工が施されている防水布を外着と下着との間に挟み込み、外着に脱着させるための接合部を有することを特徴とする脱着可能防水布。
【請求項２】
接合部は、互いに接合する一対の接合部品から成り、一対の接合部品は、他の一対の接合部品と異なる色彩又は形状で形成されている請求項１に記載の脱着可能防水布。
【発明の詳細な説明】
【技術分野】
【０００１】  本発明は、尿失禁や生理経血など体液が外着に染み出すのを防止し、周囲に知られることなく簡単に防水布のみ交換できる脱着可能防水布に関するものである。
【背景技術】
【０００２】  従来の方法は、尿失禁パンツや生理経血用ショーツなどがあり、さらに、紙製のパッドをテープで張り付けるなどのものがあった。
紙製パッドを二重に重ねたりおむつや大型のパッドと併用したり、さらに、ショーツがずれて生理経血が漏れださないように、上からストッキングなどをはいて対応していた。
紙オムツは、厚手で履き心地が悪く、使い捨てのため不経済であり、ごみが多く、ごみ処理も負担であった。
さらに、就寝時など、長時間、紙製パッドや紙オムツを交換できないときは、防水シーツを布団の上に敷いて布団に染み出るのを防いでいた。
【先行技術文献】
【特許文献】
【０００３】
【特許文献１】  特開２０１４−２１４３９４号公報
【発明の概要】
【発明が解決しようとする課題】
【０００４】  特許文献１の方式においては、ズボンに防水布が縫い付けられたものであるため、取り外すためにはズボンを脱がなければならない。
特に外出時は着替える場所を探すなどの不便さがある。
同様に、漏れ出た場合、全体を取り換える必要があるため予備のズボンを携行しなければならない。
さらに、気温が高いとき、ズボン全体が暑く蒸れやすくなる。
従来の尿失禁パンツや生理経血用ショーツでは、少しの動作で素肌とショーツの間に空間がうまれ、体液が染み出すことがあり、また、長時間着替えられないときなど、本人が知らぬ間に周囲に知られる不安がある。
尿失禁や生理経血が外着に染み出して周囲に知られることは、本人にとって精神的苦痛であり、特に生理の重い日は、経血量が多いため外着に染み出していないか心配することになる。
本発明は、尿失禁や生理経血などの体液が外着に染み出て汚れてしまい、また、周囲に知られるのを防止することを目的とする。
【課題を解決するための手段】
【０００５】  本発明においては、片面、または、両面に防水加工が施されている防水布を外着と下着との間に挟み込み、防水布を外着に脱着させるための接合部を設けるものである。
さらに、脱着用接合部が多くある場合に、組み合わせを明確にするための、外着、および、防水布との対応を、形状、色彩などとして明確にする。
【発明の効果】
【０００６】  本発明によれば、ズボンの外着をひざまで下ろすだけで、防水布の交換ができるようになる。
化粧室での取替えにおいても、外着全体を脱ぐことなく防水布のみ交換可能である。また脱着自在なので、必要になった時（例えば生理が始まった時）簡単に取り付けまたは交換可能である。女性の生理予定日は、正確な日付、時間まで予測できるものではない。
したがって、生理経血や尿失禁などの体液が染み出て外着が汚れてしまい、周囲に知られるのを防止することができる。
外着まで経血などの体液が染み出なくなるため、予備の着替えが必要でなくなる。例えば就寝時に布団を汚すこともなくなる。
さらに、本発明は脱着可能な防水布との組み合わせ接合部には、他の接合部と異なる色彩、または、異なる形状により変化をもたせているため、簡単に取り付けることができる。
また、防水布の面積は外着に比べてごく一部のため気温が高くても蒸れにくく生理の時の不快感や皮膚のかぶれなどがおきにくい。
【図面の簡単な説明】
【０００７】
【図１】  本発明を適用した、正面からの断面図である。
【図２】  本発明の外着、防水布、下着の位置関係を示した側面からの断面図である。
【図３】  本発明の防水布と防水布を収納する収納部を装着した説明図である。
【図４】  本発明の防水布を収納する収納部の説明図である。
【図５】  本発明の防水布を装着したズボンの説明図である。
【図６】  本発明の防水布（ズボンタイプ）の説明図である。
【図７】  本発明の防水布の接合部を接続片を用いて構成した図である。
【発明を実施するための形態】
【０００８】本発明の実施形態に係る防水布（２）は、片面、または、両面に防水加工が施されている防水布（２）を外着（３）と下着（１）との間に挟み込み、外着（３）に脱着させるための接合部（４）または（５）を有する。
また、防水布（２）の接合部（４）は、接合部は、互いに接合する一対の接合部品から成り、一対の接合部品は、他の一対の接合部品と異なる色彩又は形状で形成されている。
本発明の実施形態に係る防水布（２）は、さまざまな衣類に適用できる。
たとえば、ズボン、コート、白衣、寝着、ブラジャー、ショーツ、パンツ、ワンピース、スカート、授乳服、マタニティ、つなぎ、シャツ、Ｔシャツ、作業着、ユニフォーム、制服に適用できる。
外着（３）と防水布（２）は、目印となる接合部（４）、および、その他の接合部（５）で固定する。
これらは、スナップボタンやマジックテープ（登録商標）などで、脱着可能にする。
接合部（４）は色彩（例えば、黒）、形状（大きいスナップボタンなど）が接合部（５）とは異なる。
このため、接合部（４）および（５）を全部接合する場合、明確にどこからつければよいかが容易に判別できるようになっている。
接合部（４）、接合部（５）をすべて接合すれば、取り付けは完了である。
接合部（４）は、先の説明のとおり、色彩、形状が接合部（５）と異なっている。
図２は、本発明の構成を側面から示したものである。
図３は、防水布（２）と、ワンピース（７）の接合後のイメージである。ワンピース（７）は外着（３）の一例である。
ここでは、ワンピース（７）の内側に防水布（２）が接合されている。
防水布（２）が不要と明らかな場合、収納部（６）にしまうことができる。
この図の場合、収納部（６）は外着（３）の内側に設置されており、交換前の防水布（２）、交換後の防水布（２）をしまうことができる。
図４は、図３の収納部（６）のイメージである。
図５は、外着（３）のイメージである。
本図では、ズボン（８）をイメージしている。
防水布との接合部（４）および（５）が設置されている。
股下に接合部（９）を設置するなどの工夫を行っている。
図６は、図５に対応する防水布（２）のイメージである。
接合部（９）が図５の接合部（４）として対応している。
図７は接合部（４）、接合部（５）と接合片（１０）を用いたものを示している。
【０００９】  また、本発明による防水布（２）は、片面を防水加工で施し、もう片方は、通気性のよい加工を施している。
本発明の防水布（２）は、ワンピース（７）の内側の収納部（６）に防水布（２）をしまっておいて急な生理経血などでも素早く接着できる。
本発明による防水布（２）には、脱着可能な接合部（４）および（５）が複数あるが数ヵ所のみ（４）として、色彩、または、形状が異なることによって目印になり簡単に装着できる。
ズボン（８）に防水布（２）を装着しておけば、ズボン（８）を膝まで下げるだけで簡単に予備の防水布（２）と交換できる。
接合片（１０）の基端は防水布（２）の縫い目にそって取り付けられていて、自由端である先端側に接合部（４）または（５）が取り付けられている。
これにより、外着（３）に防水布（２）を取り付けた場合でも、外着（３）の外側から接続部（４）および（５）を取り付けていることが分かりづらくなり、外観を損なうことがない。
【符号の説明】
【００１０】１  下着
２  防水布
３  外着
４  色彩、または、異なる形状の脱着可能な接合部
５  脱着可能な接合部
６  収納部
７  外着３をワンピースとしたもの
８  ズボン
９  股下に設置する接合部
１０  接合片
【図１】
2017166112.tif 000003
【図２】
2017166112.tif 000004
【図３】
2017166112.tif 000005
【図４】
2017166112.tif 000006
【図５】
2017166112.tif 000007
【図６】
2017166112.tif 000008
【図７】
2017166112.tif 000009